(57)【特許請求の範囲】
【請求項１】
放射線遮蔽空間を形成する放射線遮蔽セルのセル壁の所要位置に、径の異なる複数のホール部を内側から外側へ向けて順次大径となるように配置してなる検査ホールを、セル壁内外方向へ貫通させて設け、該検査ホールの径の異なるホール部に、該各ホール部の径に対応した外径とし且つ中心から同一半径の位置に検査装置を挿入するための挿入孔をそれぞれ設けたプラグを嵌入して、最内側に位置するプラグを固定すると共に他のプラグを回転可能とし、更に、隣接するプラグの対向面部の一方に突起を設け、又、対向面部の他方に、該突起を嵌入させる円周方向のガイド溝を設けて、突起をガイド溝の一端に係合させたときに該隣接するプラグの挿入孔が連通するように設定した構成を有することを特徴とする放射線遮蔽セルの検査ホール閉鎖装置。
【請求項２】
隣接するプラグの対向面部における突起とガイド溝とを、いずれも扇状に形成した請求項１記載の放射線遮蔽セルの検査ホール閉鎖装置。
【発明の詳細な説明】
【０００１】
【発明の属する技術分野】
本発明は放射線遮蔽セルのセル壁に設けられた検査ホールに装着して用いる閉鎖装置に関するものである。
【０００２】
【従来の技術】
原子力プラントにおける、たとえば、放射性廃液貯槽は、放射線遮蔽セル内に設置されるが、セル内は定期的に検査する必要があるため、これまでは、セル壁に予め設けておいた検査ホールをプラグで閉鎖しておいて、検査が必要になったときに、検査ホールからプラグを引き抜いて撤去した後、検査ホールを通して検査装置をセル内に挿入し、該検査装置によりセル内の検査を行うようにしている。
【０００３】
【発明が解決しようとする課題】
ところが、上記のような手法でセル内の検査を実施する場合に、検査ホールからプラグを引き抜いて撤去させたとき、検査ホールを通して遮蔽欠損が生じることになり、作業員の被曝対策の問題が生じる。
【０００４】
そこで、本発明は、プラグを引き抜いて撤去することなくセル内への検査装置の挿入を可能として、作業員の被曝対策の軽減化を図ることができるような放射線遮蔽セルの検査ホール閉鎖装置を提供しようとするものである。
【０００５】
【課題を解決するための手段】
本発明は、上記課題を解決するために、放射線遮蔽空間を形成する放射線遮蔽セルのセル壁の所要位置に、径の異なる複数のホール部を内側から外側へ向けて順次大径となるように配置してなる検査ホールを、セル壁内外方向へ貫通させて設け、該検査ホールの径の異なるホール部に、該各ホール部の径に対応した外径とし且つ中心から同一半径の位置に検査装置を挿入するための挿入孔をそれぞれ設けたプラグを嵌入して、最内側に位置するプラグを固定すると共に他のプラグを回転可能とし、更に、隣接するプラグの対向面部の一方に突起を設け、又、対向面部の他方に、該突起を嵌入させる円周方向のガイド溝を設けて、突起をガイド溝の一端に係合させたときに該隣接するプラグの挿入孔が連通するように設定した構成とする。
【０００６】
通常時は各プラグの挿入孔の位置をずらしておき、セル内を検査するときに、突起がガイド溝の一端に係合するまで隣接するプラグにおける外側のプラグを所要方向に回転させることにより、隣接するプラグの挿入孔を連通させるようにして、検査装置を各プラグの挿入孔を通してセル内に挿入させるようにする。
【０００７】
又、隣接するプラグの対向面部における突起とガイド溝とを、いずれも扇状に形成した構成とすることにより、外側のプラグの回転力をその内側に位置するプラグに伝え易くすることができる。
【０００８】
【発明の実施の形態】
以下、本発明の実施の形態を図面を参照して説明する。
【０００９】
図１（イ）（ロ）（ハ）（ニ）乃至図３は本発明の実施の一形態を示すもので、原子力プラントにおいて、放射線遮蔽空間を形成するように構築された放射線遮蔽セル１のセル壁２の所要位置に、径の異なる複数のホール部をセル壁２の内側から外側へ向けて順次大径となるように同心状に並べて内側から順に内側ホール部３ａ、中間ホール部３ｂ、外側ホール部３ｃとしてなる検査ホール３を、セル壁２の内外方向へ貫通させて設け、且つ該検査ホール３内に、各ホール部３ａ，３ｂ，３ｃのサイズに合わせて形成した内側プラグ４ａ、中間プラグ４ｂ、外側プラグ４ｃを装着して、中間プラグ４ｂと外側プラグ４ｃが各々回転できるようにする。
【００１０】
上記各プラグ４ａ，４ｂ，４ｃには、それぞれ中心から同一半径Ｒの位置に検査装置５を挿入するための挿入孔６ａ，６ｂ，６ｃを穿設し、且つ内側プラグ４ａの外側端面部に、たとえば、円周方向に９０°の角度範囲としたガイド溝７を設け、一方、該ガイド溝７に嵌入する突起８を中間プラグ４ｂの内側端面部に設けて、突起８がガイド溝７の一端となる時計方向終端に係合したときに挿入孔６ａと６ｂが連通するように設定し、又、中間プラグ４ｂの外側端面部にも、たとえば、円周方向に９０°の角度範囲としたガイド溝９を設け、一方、該ガイド溝９に嵌入する突起１０を外側プラグ４ｃの内側面部に設けて、突起１０がガイド溝９の一端となる時計方向終端に係合したときに挿入孔６ｂと６ｃが連通するように設定し、内側プラグ４ａを内側ホール部３ａ内に嵌入して固定し、中間プラグ４ｂと外側プラグ４ｃを中間ホール部３ｂと外側ホール部３ｃ内に回転可能に嵌入するようにしてあり、更に、外側プラグ４ｃは、セル壁２の外方へ一部突出するような厚みに形成して、該突出部の外周面部に、チェーンブロック（又はホイスト）のフック１１を掛けるための把手１２を、周方向に複数個所取り付けて、チェーンブロックの巻上げ操作で外側プラグ４ｃを回転させ、更に突起１０とガイド溝９の終端との係合を介して外側プラグ４ｃと一体に中間プラグ４ｂを回転させることができるようにしてある。
【００１１】
セル１内の検査を行わない通常時は、各プラグ４ａ，４ｂ，４ｃの挿入孔６ａ，６ｂ，６ｃが非連通状態となるようにその位置をずらして遮蔽機能をもたせておくようにする。
【００１２】
セル１内の検査を行うときには、図１（イ）に示す如く、外側プラグ４ｃの挿入孔６ｃに検査装置５の先端部側を挿入した状態として、図１（ニ）に示す如く、チェーンブロックのフック１１を外側プラグ４ｃに取り付けてある所要位置の把手１２に係止させ、チェーンブロックの巻上げ操作で外側プラグ４ｃを時計方向へ回転させるようにする。これにより、外側プラグ４ｃの突起１０が中間プラグ４ｂのガイド溝９の時計方向終端まで達すると、その時点で、図２に示す如く、外側プラグ４ｃの挿入孔６ｃと中間プラグ４ｂの挿入孔６ｂとが位置合わせさせられて連通状態にさせられるので、検査装置５の先端部側を挿入孔６ｂ内に挿入させるようにする。
【００１３】
しかる後、外側プラグ４ｃを周方向へ更に回転させるようにすると、その回転力が上記突起１０からガイド溝９の終端を介して中間プラグ４ｂに伝えられるため、中間プラグ４ｂが外側プラグ４ｃと一体に回転させられることになる。これにより、中間プラグ４ｂの突起８が内側プラグ４ａのガイド溝７の時計方向終端まで達すると、その時点で、図３に示す如く、中間プラグ４ｂの挿入孔６ｂと内側プラグ４ａの挿入孔６ａとが位置合わせさせられて連通状態にさせられる結果、各プラグ４ａ，４ｂ，４ｃの挿入孔６ａ，６ｂ，６ｃが一直線に連通配置される。したがって、検査装置５を更に挿入することにより、検査装置５の先端部をセル１内に挿入位置させることができるので、この状態でセル１内の検査を行うようにする。
【００１４】
このように、通常時は、各プラグ４ａ，４ｂ，４ｃの挿入孔６ａ，６ｂ，６ｃの位置をずらしておくことにより、検査ホール３を全面的に閉鎖して遮蔽機能をもたせることができ、一方、検査装置５の挿入時には、プラグ４ｃと４ｂを回転させて、順次挿入孔の位置を合わせて行き、又、このとき、併行して検査装置５を挿入して行くことにより、挿入孔６ａ，６ｂ，６ｃを検査装置５で塞いで放射線の漏洩を抑えることができるので、被曝対策を軽減化することができる。
【００１５】
なお、本発明は上記実施の形態のみに限定されるものではなく、外側プラグ４ｃから中間プラグ４ｂへの回転力の伝達をより楽に行わせるようにするために、図１（ハ）において二点鎖線で示す如く、突起１０とガイド溝９との組み合わせを２個所設けるようにしたり、あるいは、図４に示す如く、突起１０とガイド溝９の終端とが大きい面積で係合するようにいずれも扇形とするようにしてもよいこと、又、各プラグの対向面部の突起とガイド溝との組み合わせは逆配置であってもよいこと、更に、内側プラグ４ａ、中間プラグ４ｂ、外側プラグ４ｃの３つのプラグの場合を示したが、これに限定されるべきではなく、プラグの数を増減することは任意であること、その他本発明の要旨を逸脱しない範囲内において種々変更を加え得ることは勿論である。
【００１６】
【発明の効果】
以上述べた如く、本発明の放射線遮蔽セルの検査ホール閉鎖装置によれば、放射線遮蔽空間を形成する放射線遮蔽セルのセル壁の所要位置に、径の異なる複数のホール部を内側から外側へ向けて順次大径となるように配置してなる検査ホールを、セル壁内外方向へ貫通させて設け、該検査ホールの径の異なるホール部に、該各ホール部の径に対応した外径とし且つ中心から同一半径の位置に検査装置を挿入するための挿入孔をそれぞれ設けたプラグを嵌入して、最内側に位置するプラグを固定すると共に他のプラグを回転可能とし、更に、隣接するプラグの対向面部の一方に突起を設け、又、対向面部の他方に、該突起を嵌入させる円周方向のガイド溝を設けて、突起をガイド溝の一端に係合させたときに該隣接するプラグの挿入孔が連通するように設定した構成としてあるので、各プラグの挿入孔の位置をずらしておくことで遮蔽機能を維持することができると共に、隣接するプラグにおける外側のプラグを回転させることで、各プラグを引き抜くことなく各プラグの挿入孔を連通させて検査装置の挿入を行わせることができて、作業を簡素化することができ、且つ各プラグの挿入孔に検査装置を挿入するようにすることで被曝対策の軽減化を図ることができ、又、隣接するプラグの対向面部における突起とガイド溝とを、いずれも扇状に形成した構成とすることによって、外側のプラグの回転力をその内側に位置するプラグへ伝え易くすることができて、プラグの回転操作をより円滑に行うことができる、等の優れた効果を発揮する。
【図面の簡単な説明】
【図１】本発明の放射線遮蔽セルの検査ホール閉鎖装置の実施の一形態を示すもので、（イ）は切断側面図、（ロ）は（イ）のＡ−Ａ方向矢視図、（ハ）は（イ）のＢ−Ｂ方向矢視図、（ニ）は（イ）のＣ−Ｃ方向矢視図である。
【図２】外側プラグを回転させた状態を示す切断側面図である。
【図３】外側プラグと一体に中間プラグを回転させた状態を示す切断側面図である。
【図４】本発明の他の実施の形態を示す中間プラグの概略図である。
【符号の説明】
１  セル
２  セル壁
３  検査ホール
３ａ  内側ホール部
３ｂ  中間ホール部
３ｃ  外側ホール部
４ａ  内側プラグ
４ｂ  中間プラグ
４ｃ  外側プラグ
５  検査装置
６ａ，６ｂ，６ｃ  挿入孔
７，９  ガイド溝
８，１０  突起
【図１】
0004332998.tif 000002
【図２】
0004332998.tif 000003
【図３】
0004332998.tif 000004
【図４】
0004332998.tif 000005